(57)【要約】【課題】この発明は、建造物の外壁パネルの両側端部をその厚み方向に挟持し、該外壁パネルを吊下げるための外壁吊具、及び該外壁吊具を用いた外壁パネルの吊下げ方法に関する。【解決手段】この実施形態の外壁吊具１は、建造物の外壁パネル２の両側端部をその厚み方向に挟持し、該外壁パネル２を吊下げるための外壁吊具１であって、外壁パネル２の高さ方向に長尺に形成された本体枠部３と、該本体枠部３の外壁パネル２の一方面側と当接する側に長手方向に所定勾配を有するように設けられた溝部４と、溝部４に沿って摺動可能となるように該溝部４に設けられた当接支持部材６と、外壁パネル２の幅方向に延出する補助当接部材７と、本体枠部３から外壁パネル２の厚み方向に延出するように設けられた略Ｌ字型の係止部材９と、紐体１０を係止するための紐体係止部１１と、当接支持部材６の摺動を規制する規制部材１２とを具備するのもである。【選択図】図５
2008184766.tif 000002
【特許請求の範囲】
【請求項１】
建造物の外壁パネルの両側端部をその厚み方向に挟持し、該外壁パネルを吊下げるための外壁吊具であって、
前記外壁パネルの高さ方向に長尺に形成された本体枠部と、
該本体枠部の前記外壁パネルの一方面側と当接する側に長手方向に所定勾配を有するように設けられた溝部と、
前記外壁パネルの一方面側の端部を当接支持すると共に、前記溝部に沿って摺動可能となるように該溝部に設けられ、且つ、該溝部に設けられた弾性部材によって該溝部の勾配に沿って前記本体枠部から離反する方向に付勢される当接支持部材と、
前記外壁パネルの一方面側を当接支持すると共に、前記本体枠部から略垂直方向であって外壁パネルの幅方向に延出する補助当接部材と、
前記外壁パネルの他方面側の端部を係止すると共に、前記外壁パネルの幅方向に形成された係止部が前記当接支持部材と相対向するように前記本体枠部から前記外壁パネルの厚み方向に延出するように設けられた略Ｌ字型の係止部材と、
前記本体枠部の前記外壁パネルと当接する側と反対側に形成され、且つ、紐体を係止するための紐体係止部と、
を具備することを特徴とする外壁吊具。
【請求項２】
前記溝部に設けられ、且つ、前記当接支持部材の摺動を規制する規制部材を具備することを特徴とする請求項１記載の外壁吊具。
【請求項３】
前記係止部材の係止部が前記外壁パネルの他方面側の端部を係脱自在となるように、該係止部材が前記本体枠部に回転自在に取付けられることを特徴とする請求項１又は２記載の外壁吊具。
【請求項４】
前記係止部材の係止部が前記外壁パネルの他方面側の端部を係止する方向に、該係止部材が弾性部材によって回転付勢されていることを特徴とする請求項３記載の外壁吊具。
【請求項５】
前記係止部材が少なくとも２つ設けられると共に、該係止部材が互いに連動するように連結されていることを特徴とする請求項３又は４記載の外壁吊具。
【請求項６】
前記外壁パネルの両側端部を、互いに鏡像関係にある請求項１乃至５記載の一対の外壁吊具によってその厚み方向に挟持し、該外壁パネルを吊下げることを特徴とする外壁パネルの吊下げ方法。
【発明の詳細な説明】
【技術分野】
【０００１】
この発明は、建造物の外壁パネルの両側端部をその厚み方向に挟持し、該外壁パネルを吊下げるための外壁吊具、及び該外壁吊具を用いた外壁パネルの吊下げ方法に関する。
【背景技術】
【０００２】
建造物の外壁を施工する際には、例えば、防火性、断熱性、耐久性の観点から窯業系の材料から形成された外壁パネルが使用されている。そして、これらの外壁パネルが鉄骨等を架構して形成されてなる軸組が予め取付けられた複合外壁パネルの場合には、該軸組に専用のフックを係止させることで該複合外壁パネルを吊下げることが可能であった。しかし、外壁パネルのみ、すなわち、前述のように軸組等が予め取付けられておらず、およそ外壁基材のみからなる外壁パネルは、従来の複合外壁パネルに使用されていた専用のフックを使用することができない。そのため、ベルトスリング等の繊維状のロープで玉掛けによって、外壁パネルを吊下げるという作業が慣用的に行われている。
【０００３】
また、外壁パネルを吊下げる治具としては、以下のようなものが考案されている。そして、そのような外壁吊具１００は、該外壁吊具１００の本体に設けられて外壁パネル１０１の一方面側と当接する当接部１０２と、外壁パネル１０１に形成された挿入孔１０３に、該外壁パネル１０１の一方面側から挿入される吊ピン１０４と、前記外壁吊具１０１の本体に設けられて前記挿入孔１０３が形成されている外壁パネル１０１の一方面と反対側の面に当接して前記外壁パネル１０１を押さえる押さえ部１０５とを備え、該押さえ部１０５は、前記反対側の面に対しほぼ平行に移動することで該反対側の面から退避可能に設けられているものである（例えば特許文献１）。
【０００４】
【特許文献１】特開２００１−３５７３号公報
【発明の開示】
【発明が解決しようとする課題】
【０００５】
しかし、上述のような玉掛けや、外壁吊具を使用した方法では、外壁パネルを平置きした状態から引上げる際に、玉掛けに使用されるベルトスリングや、外壁吊具等が外壁パネルを接触する箇所に応力が集中して該外壁パネルにクラックが生じる等の不良が発生する可能性がある。また、上述の玉掛けによって外壁パネルを吊下げる場合には、外壁パネルを建物本体に施工された基礎上や梁上等に仮置きした後にベルトスリングを取外し、その後、外壁パネルを軸組に取付けるため、一時的に外壁パネルが不安定な状態となり、該外壁パネルが倒れ作業者に接触し、該作業者が負傷する可能性があると共に、ベルトスリングによる玉掛けは、外壁パネルを吊下げている際に、該外壁パネルが落下する可能性がある。
【０００６】
この発明は上記のような種々の課題を解決することを目的としてなされたものであって、外壁パネルを損傷することなく、安全、且つ、確実に該外壁パネルを吊下げることのできる外壁吊具と、該外壁吊具を用いた外壁パネルの吊下げ方法に関する。
【課題を解決するための手段】
【０００７】
上記目的を達成するために、請求項１記載の外壁吊具は、建造物の外壁パネルの両側端部をその厚み方向に挟持し、該外壁パネルを吊下げるための外壁吊具であって、前記外壁パネルの高さ方向に長尺に形成された本体枠部と、該本体枠部の前記外壁パネルの一方面側と当接する側に長手方向に所定勾配を有するように設けられた溝部と、前記外壁パネルの一方面側の端部を当接支持すると共に、前記溝部に沿って摺動可能となるように該溝部に設けられ、且つ、該溝部に設けられた弾性部材によって該溝部の勾配に沿って前記本体枠部から離反する方向に付勢される当接支持部材と、前記外壁パネルの一方面側を当接支持すると共に、前記本体枠部から略垂直方向であって外壁パネルの幅方向に延出する補助当接部材と、前記外壁パネルの他方面側の端部を係止すると共に、前記外壁パネルの幅方向に形成された係止部が前記当接支持部材と相対向するように前記本体枠部から前記外壁パネルの厚み方向に延出するように設けられた略Ｌ字型の係止部材と、前記本体枠部の前記外壁パネルと当接する側と反対側に形成され、且つ、紐体を係止するための紐体係止部と、を具備することを特徴としている。
【０００８】
請求項２記載の外壁吊具は、前記溝部に設けられ、且つ、前記当接支持部材の摺動を規制する規制部材を具備することを特徴としている。
【０００９】
請求項３記載の外壁吊具は、前記係止部材の係止部が前記外壁パネルの他方面側の端部を係脱自在となるように、該係止部材が前記本体枠部に回転自在に取付けられることを特徴としている。
【００１０】
請求項４記載の外壁吊具は、前記係止部材の係止部が前記外壁パネルの他方面側の端部を係止する方向に、該係止部材が弾性部材によって回転付勢されていることを特徴としている。
【００１１】
請求項５記載の外壁吊具は、前記係止部材が少なくとも２つ設けられると共に、該係止部材が互いに連動するように連結されていることを特徴としている。
【００１２】
請求項６記載の外壁吊具は、前記外壁パネルの両側端部を、互いに鏡像関係にある請求項１乃至５記載の一対の外壁吊具によってその厚み方向に挟持し、該外壁パネルを吊下げることを特徴としている。
【発明の効果】
【００１３】
請求項１記載の外壁吊具によれば、前記外壁パネルの高さ方向に長尺に形成された本体枠部と、該本体枠部の前記外壁パネルの一方面側と当接する側に長手方向に所定勾配を有するように設けられた溝部と、前記外壁パネルの一方面側の端部を当接支持すると共に、前記溝部に沿って摺動可能となるように該溝部に設けられ、且つ、該溝部に設けられた弾性部材によって該溝部の勾配に沿って前記本体枠部から離反する方向に付勢される当接支持部材とを具備している。そのため、外壁パネルを吊下げた際には、当接支持部材に、該外壁パネルと当接支持部材との間に生じる鉛直下方の摩擦力が生じ、該当接支持部材は、溝部の勾配に沿って本体枠部から離反する方向に摺動する。すなわち、係止部材の係止部と当接支持部材との間隔が小さくなる方向に当接支持部材が摺動し、より強固に外壁パネルを挟持することができるため、該外壁パネルが脱落することがなく、安全、且つ、確実に該外壁パネルを吊下げることができる。
【００１４】
また、本体枠部が外壁パネルの高さ方向に長尺に形成されているので、外壁パネルの両側端部に作用する外壁パネルの高さ方向の応力を軽減することができ、該外壁パネルの損傷を防止することができる。さらに、前記外壁パネルの一方面側を当接支持すると共に、前記本体枠部から略垂直方向であって外壁パネルの幅方向に延出する補助当接部材を具備するので、外壁パネル幅方向の応力がを軽減することができ、該外壁パネルの損傷を防止することができる。
【００１５】
請求項２記載の外壁吊具によれば、規制部材が当接支持部材の摺動を規制するので、外壁パネルの両側端部を本発明に係る外壁吊具によって吊下げた際には、上述のように係止部材の係止部と、当接支持部材及び当接補助部材とに挟持された外壁パネルが、不意に脱落することがなく、安全、且つ、確実に該外壁パネルを吊下げることができる。
【００１６】
請求項３記載の外壁吊具によれば、前記係止部材の係止部が前記外壁パネルの他方面側の端部を係脱自在となるように、該係止部材が前記本体枠部に回転自在に取付けられているので、該外壁吊具の外壁パネルへの着脱を容易に行うことができ、作業効率を向上することができる。
【００１７】
請求項４記載の外壁吊具によれば、前記係止部材の係止部が前記外壁パネルの他方面側の端部を係止する方向に、該係止部材が弾性部材によって回転付勢されているので、該外壁吊具の外壁パネルへの着脱をより容易に行うことができ、作業効率を向上することができる。
【００１８】
請求項５記載の外壁吊具によれば、前記係止部材が少なくとも２つ設けられると共に、該係止部材が互いに連動するように連結されているので、該外壁吊具の外壁パネルへの着脱をさらに容易に行うことができ、作業効率を向上することができる。
【００１９】
請求項６記載の外壁吊具によれば、前記外壁パネルの両側端部を、互いに鏡像関係にある請求項１乃至５記載の一対の外壁吊具によってその厚み方向に挟持し、該外壁パネルを吊下げているので、外壁パネルを損傷することなく、安全、且つ、確実に該外壁パネルを吊下げることのでき、さらに、外壁吊具の外壁パネルへの着脱が容易であるので、作業効率も向上することができる。
【発明を実施するための最良の形態】
【００２０】
この発明における外壁吊具１の最良の実施形態について、以下に説明する。この実施形態の外壁吊具１は、図１３に示すように、建造物の外壁パネル２の両側端部をその厚み方向に挟持し、該外壁パネル２を吊下げるための外壁吊具１であって、図５に示すように、外壁パネル２の高さ方向に長尺に形成された本体枠部３と、該本体枠部３の外壁パネル２の一方面側と当接する側に長手方向に所定勾配を有するように設けられた溝部４と、外壁パネル２の一方面側の端部を当接支持すると共に、溝部４に沿って摺動可能となるように該溝部４に設けられ、且つ、該溝部４に設けられた弾性部材５によって該溝部４の勾配に沿って本体枠部３から離反する方向に付勢される当接支持部材６と、図３に示すように、外壁パネル２の一方面側を当接支持すると共に、本体枠部３から略垂直方向であって外壁パネル２の幅方向に延出する補助当接部材７と、外壁パネル２の他方面側の端部を係止すると共に、外壁パネル２の幅方向に形成された係止部８が当接支持部材６と相対向するように本体枠部３から外壁パネル２の厚み方向に延出するように設けられた略Ｌ字型の係止部材９と、図５に示すように、本体枠部３の外壁パネル２と当接する側と反対側に形成され、且つ、紐体１０を係止するための紐体係止部１１と、溝部４に設けられ、且つ、当接支持部材６の摺動を規制する規制部材１２と、を具備している。
【００２１】
また、係止部材９の係止部８が、図７に示すように、外壁パネル２の他方面側の端部を係脱自在となるように、該係止部材９が本体枠部３に回転自在に取付けられると共に、外壁パネル２の他方面側の端部を係止する方向に、該係止部材９が弾性部材１３によって回転付勢され、且つ、係止部材９が互いに連動するように連結されている。そして、図１３に示すように、外壁パネル２の両側端部を、互いに鏡像関係にある一対の外壁吊具１によってその厚み方向に挟持し、該外壁パネル２を吊下げるのである。
【００２２】
前記外壁パネル２は、窯業系の材料から形成される単板を好適に使用することができ、その大きさは、例えば、高さ方向が約３０００ｍｍ、幅方向が約１０００ｍｍ、厚み方向が約５０ｍｍ程度のものが使用される。そして、外壁パネル２の両側端部には、図３に示すように、その一部が切欠かれるようにして段部２ａが形成されている。そして、外壁パネル２の段部２ａには、該外壁パネル２を予め施工された軸組（不図示）に取付けるための取付金具２ｃが取付けられている。また、これらの大きさは特に本実施形態の大きさに限定されるものではなく、また、外壁パネル２の材質や構成も適宜変更することができる。
【００２３】
前記本体枠部３は、図６に示すように、外壁パネル２の高さ方向に長尺に形成され、該外壁パネル２の一方面側と当接する側には溝部４が形成されており、該溝部４は図６に示すように、本体枠部３の長手方向に所定勾配を有するように設けられている。そして、本実施形態においては、より強固に外壁パネル２を挟持することができるように、当接支持部材６を２つ具備することから、それぞれの当接支持部材６に対応するようにして、溝部４には所定勾配を有する勾配面４ａと、該勾配面４ａの一端であって、該勾配面４ａに対して略垂直方向に形成された側壁４ｂが設けられている。
【００２４】
上述のようにそれぞれ勾配面４ａの一端に形成された側壁４ｂには、図６に示すように、該側壁４ｂから勾配面４ａの他端方向に、該勾配面４ａと略平行に延出する略円柱形状のガイド部材１４が設けられている。そして、溝部４には弾性部材５が取付けられているが、本実施形態においては、図６に示すように、例えば圧縮コイルバネが好適に使用される。また、弾性部材５の一端部は側壁４ｂに取付けられると共に、ガイド部材１４に挿通されるようにして、該弾性部材５が溝部４に取付けられている。
【００２５】
前記当接支持部材６は、図３に示すように、溝部４と略同様の幅方向の長さを有する略台形状の部材であり、上述したように勾配面４ａと側壁４ｂとから形成される溝部４と略同様の形状となるように形成されている。すなわち、図６に示すように、当接支持部材６が勾配面４ａと当接する該当接支持部材６の傾斜面６ａが該勾配面４ａと略同様の勾配を有し、さらに、側壁４ｂと略平行となるように該当接支持部材６の側面６ｂが形成されている。また、当接支持部材６の傾斜面６ａ近傍には、該傾斜面６ａと略同様の勾配を有する略円柱状のガイド孔１５が該当接支持部材６を本体枠部３の長手方向に貫通するように設けられており、該ガイド孔１５にガイド部材１４が挿通されている。
【００２６】
また、ガイド孔１５はその両端近傍が若干幅広に形成された拡幅部１６を有しており、上述のように取付けられた弾性部材５の他端の一部が、ガイド孔１５の一端側の拡幅部１６に挿入されている。これにより、図４に示すように、当接支持部材６は、溝部４の勾配面４ａに沿い、さらに、ガイド部材１４によってガイドされ、該当接支持部材６が本体枠部３から離反する矢印Ａ方向に摺動可能となっている。すなわち、当接支持部材６は、係止部材９の係止部８と当接支持部材６との間隔が狭くなる方向に、弾性部材５によって付勢されると共に、該当接支持部材６が、当該方向に摺動可能となるように、溝部４に設けられているのである。そのため、弾性部材５の不勢力に逆らって矢印Ｂ方向に当接支持部材６に力が作用した際には、係止部材９の係止部８と当接支持部材６との間隔が図４に示すＴだけ広がるのである。また、図６に示すように、ガイド部材１４が挿通された当接支持部材６が、該ガイド部材１４から引き抜けることがないように、該ガイド部材１４の他端部にはガイド孔１５の径よりも若干大きく、ガイド孔１５の拡幅部１６の径よりも若干小さく形成された係止片１７が設けられている。
【００２７】
また、本実施形態においては、図１や図２に示すように、当接支持部材６が２つ設けられているので、外壁パネル２の凹凸に影響されることなく、それぞれの当接支持部材６が外壁パネル２を確実に挟持することができるのである。そして、当接支持部材６の外壁パネル２と当接する側の面には、該外壁パネル２と当接支持部材６との摩擦力を向上させ、より強固に該外壁パネル２を挟持することができるように、例えばゴム製の当接部６ｃが設けられている。また、当接部６ｃの外壁パネル２と接触する箇所には、さらに該外壁パネル２との摩擦力を向上させるために適宜溝等が形成されていてもよい。
【００２８】
前記規制部材１２は、長尺に形成された本体枠部３の一端部に設けられている。そして、規制部材１２は、本実施形態においては、図５に示すように、本体枠部３の一端部から溝部４までの、該本体枠部３の肉厚を貫通するようにしてネジ部１２ａが挿通されている。また、ネジ部１２ａの一端部には、つまみ１２ｂが取付けられており、ネジ部１２ａの他端部には規制片１２ｃが設けられている。そして、ネジ部１２ａには雄ネジが形成され、本体枠部３の該ネジ部１２ａが貫通している箇所には雌ネジが形成されているので、つまみ１２ｂを回転させることで、図５に示すように、規制片１２ｃが矢印Ｃ方向に移動する。そうすることで、規制片１２ｃが、当接支持部材６の側面６ｂと当接し、該当接支持部材６の本体枠部３の一方側への摺動を規制することができる。また、本実施形態においては、当接支持部材６は２つ設けられているが、一方側の当接支持部材６が前述のように規制部材１２によってその摺動が規制されれば、他方側の当接支持部材６は一方側の当接支持部材６と接触するため、他方側の当接支持部材６も同時にその摺動が規制されるのである。また、規制部材１２は、本実施形態のものに限定されるものではなく、本体枠部３の一方側への当接支持部材６の摺動を規制することができるものであれば、適宜構成を変更することが可能である。
【００２９】
前記補助当接部材７は、図３に示すように、外壁パネル２の一方面側を当接支持すると共に、本体枠部３から略垂直方向であって外壁パネル２の幅方向に延出するように形成されている。そして、補助当接部材７の外壁パネル２と当接する側の面には、当接支持部材６と同様に、該外壁パネル２と補助当接部材７との摩擦力を向上させ、より強固に該外壁パネル２を挟持することができるように、例えばゴム製の当接部７ａが設けられている。また、当接部７ａの外壁パネル２と接触する箇所には、さらに該外壁パネル２との摩擦力を向上させるために適宜溝等が形成されていてもよい。そして、本体枠部３の略垂直方向の補助当接部材７の長さは、平置された外壁パネル２を引上げる際に該外壁パネル２が損傷しないように、吊下げる外壁パネル２の幅方向の長さ等に応じて適宜変更することが可能である。
【００３０】
前記係止部材９は、外壁パネル２の他方面側を係止している。そして、係止部材９は、本実施形態においては、図３に示すように、本体枠部３の補助当接部材７が形成される側と反対側に設けられた略円柱形状の膨出部１８の肉厚を貫通して、外壁パネル２の厚み方向に延出するように本体枠部３に設けられている。そして、係止部材９はその先端部に外壁パネル２を幅方向に係止する係止部８を有し、全体として該係止部材９が略Ｌ字型となるように形成されている。そして、係止部材９の本体枠部３の膨出部１８の肉厚を貫通している箇所には雄ネジが形成されており、該膨出部１８の当該箇所には雌ネジが形成されている。そのため、係止部材９は、本体枠部３の膨出部１８に回転自在となるように設けられてるのである。すなわち、係止部材９の係止部８が外壁パネル２の他方面側の端部を係脱自在となるように、該係止部材９が本体枠部３の膨出部１８に設けられているのである。
【００３１】
また、本実施形態においては、図１や図２に示すように、２つの当接支持部材６が設けられると共に、それぞれの当接支持部材６と、係止部材９の係止部８とが相対向するようにして２つの係止部材９が本体枠部３に設けられている。また、これらの係止部材９は、図７や図８に示すように、互いに連動するように連結部材１９によって連結されている。そして、連結部材１９は、図７に示すように、本体枠部３の膨出部１８に設けられたそれぞれの係止部材９から該係止部材９の係止部８と反対方向に延出しその先端部に引掛片２０を有する引掛部材２１と、それぞれの引掛部材２１を本体枠部３の長手方向であってその両端部において回動自在に連結する連結棒部材２２とを具備している。
【００３２】
そして、上述のように互いに連動するように連結部材１９によって連結された係止部材９は、図７や図８に示すように、係止部材９の係止部８が外壁パネル２の他方面側の端部を係止する方向、すなわち、該外壁パネル２を幅方向に係止する方向に該係止部８が弾性部材１３によって回転付勢されている。そして、弾性部材１３は、図３に示すように、膨出部１８に設けられた切欠部２３であって、係止部材９の外壁パネル２と当接する側と反対側の端部に挿通されるようにして取付けられ、該係止部材９を回転付勢しており、本実施形態においては、弾性部材１３として例えばコイルバネが好適に使用される。
【００３３】
その際には、図７に示すように、膨出部１８に設けられた切欠部２３の側壁２４と引掛部材２１の側面とが当接した状態となっており、係止部材９の係止部８は外壁パネル２の幅方向であって長尺に形成された本体枠部３と略垂直方向に向いた状態となっている。そのため、どちらか一方の引掛部材２１の引掛片２０に弾性部材１３の回転付勢力に逆らって、作業者が手で図７に示す矢印Ｄ方向に力を作用させ、図９に示すように、本体枠部３の側面と引掛部材２１の側面とが当接する状態まで係止部材９を回転させた場合には、該係止部材９の係止部８も図７に示す矢印Ｄ方向に回転し、図９に示すように、本体枠部３の長手方向と略同方向に向いた状態となる。また、連結棒部材２２には湾曲部２２ａが設けられているので、この状態においても該連結棒部材２２が膨出部１８と接触することがない。そして、作業者が引掛片２０から手を離し、該引掛片２０に作用する力が取除かれた際には、弾性部材１３の回転付勢力によって、引掛部材２１の引掛片２０が図９や図１０に示す矢印Ｅ方向に回転すると共に、係止部材９の係止部８もや印Ｅ方向に回転し、図７や図８に示す状態に戻るのである。
【００３４】
前記紐体係止部１１は、図１や図２に示すように、本体枠部３の外壁パネル２と当接する側と反対側に形成されている。そして、紐体係止部１１は、本実施形態においては、図３に示すように、本体枠部３の外壁パネル２と当接する側と反対側に設けられた孔２５に取付けられており、市販のシャックル等を好適に使用することができる。そして、外壁パネル２を吊下げる際には、図１３に示すように、紐体係止部１１にベルトスリング等の紐体１０を係止するのである。また、紐体係止部１１は、本実施形態のものに限定されるものではなく、外壁パネル２を吊下げるために使用するクレーン等の建設機器のワイヤや、フック、若しくは、それらに取付けられたベルトスリング等の紐体１０を係止することができるものであれば、適宜変更することができる。
【００３５】
以上のように構成されてなる外壁パネル２吊具は、当接支持部材６の当接部６ｃ、及び補助当接部材７の当接部７ａを除く他の部材は、本実施形態においては、耐腐食性が高く軽量で、且つ、加工の容易な例えばアルミニウム等を好適に使用することができるが、その他ステンレス鋼等も適宜使用することができる。また、溝部４には、当接支持部材６がその摺動を円滑にすることができるように、グリス等を塗布してあることが好ましい。そして、これらの構成も本実施形態に限定されるものではなく、各部材の大きさや、当接支持部材６、及び係止部材９の数等は適宜変更することが可能である。
【００３６】
以上のように構成されてなる外壁吊具１を用いた外壁パネル２の吊下げ方法について以下に示す。
【００３７】
まず、外壁パネル２の一方側端部に、図１３に示すように、外壁吊具１を取付ける。そして、その際には、図７や図８に示すように、引掛部材２１の引掛片２０を作業者が、矢印Ｄ方向に力を加える。そうすることで、互いに連動するように連結された係止部材９が図９や図１０に示すように回動し、該係止部材９の係止部８が本体枠部３の長手方向と略同方向に向く。そして、図１１に示すように、平置きされた外壁パネル２をその上方から矢印Ｐ方向に押圧することで、図４に示すように、弾性部材５によって付勢された当接支持部材６がその付勢力に逆らって、溝部４を矢印Ｂ方向に摺動し、係止部材９の係止部８と当接支持部材６の当接部６ｃの間隔がＴだけ広くなるのである。
【００３８】
その後、作業者が引掛部材２１の引掛片２０に作用している力を取除くことで、弾性部材１３によって回動付勢された係止部材９が図９の矢印Ｅ方向に回動し図７に示す状態になる。そして、図３に示すように、係止部材９の係止部８が外壁パネル２の他方面側を、該外壁パネル２の幅方向に係止する。このようにすることで、外壁パネル２が一方の外壁吊具１によって挟持される。そして、図１３に示すように、一方の外壁吊具１と鏡像関係にある他方の外壁吊具１を、上述した方法と同様にして、外壁パネル２の他方側端部に取付けることで、外壁パネル２の両側端部をその厚み方向に挟持することができるのである。さらに、図１３に示すように挟持された外壁パネル２が吊下げられた状態で、図４に示すように、当接支持部材６が矢印Ｂ方向に移動し、外壁パネル２が作業者の意に反して脱落することがないように、規制部材１２のつまみ１２ｂを回転させ規制片１２ｃを当接支持部材の側面６ｂに当接させる。
【００３９】
そして、図１３に示すように、互いに鏡像関係にある一対の外壁吊具によって挟持され、ベルトスリング等の紐体１０を介して例えばクレーン等の建設機器によって吊下げられた外壁パネル２を、順次、軸組（不図示）に取付けていく。また、本実施形態のように、高さ方向が約３０００ｍｍ、幅方向が約１０００ｍｍ、厚み方向が約５０ｍｍ程度の外壁パネル２を使用する際には、クレーンフックＸから外壁吊具１までの距離が例えば３ｍ以上あるほうが外壁パネル２に応力が生じることがなく好ましい。さらに、外壁吊具１は外壁パネル２の上端から例えば約５００ｍｍ乃至１０００ｍｍ程度の位置であって、外壁吊具１が外壁パネル２の両側端部の同一の高さに取付けられることが外壁パネルの安定性や、該外壁パネルに生じる応力の観点から好ましい。
【００４０】
そして、外壁吊具１を外壁パネル２から取外す際には、作業者が再び引掛部材２１の引掛片２０を図７に示す矢印Ｄ方向に力を加えることで係止部材９の係止部８が、図９に示すように、本体枠部３の長手方向と略同方向に向く。このようにすることで、図１２に示すように、外壁吊具１を外壁パネル２から離反する矢印Ｑ方向に引抜くことができ、該外壁パネル２を軸組に固定した後にでも、外壁パネル２同士の隙間の目地Ｙから外壁吊具１を該外壁パネル２から取外すことができるのである。また、紐体係止部１１の近傍には適宜ネジ孔２６等を設けることができ、必要に応じて取っ手２７を取付けることで、外壁吊具１の持ち運びが容易となる。
【産業上の利用可能性】
【００４１】
本発明に係る外壁吊具１は、本実施形態のように外壁パネル２だけでなく、板状の部材であれば、適宜使用することができる。
【図面の簡単な説明】
【００４２】
【図１】本実施形態に係る外壁吊具の一方側面図
【図２】本実施形態に係る外壁吊具の他方側面図
【図３】図１に示す外壁吊具のＡ−Ａ断面図
【図４】本実施形態に係る外壁吊具内部の当接支持部材の摺動状態説明図
【図５】本実施形態に係る外壁吊具内部の規制部材の使用説明図
【図６】本実施形態に係る外壁吊具内部構造の拡大図
【図７】本実施形態に係る外壁吊具の上視図
【図８】本実施形態に係る外壁吊具の背面図
【図９】本実施形態に係る外壁吊具の係止部材を回転した状態における上視図
【図１０】本実施形態に係る外壁吊具の係止部材を回転した状態における背面図
【図１１】本実施形態に係る外壁吊具の取付け状態説明図
【図１２】本実施形態に係る外壁吊具の取外し状態説明図
【図１３】本実施形態に係る外壁吊具の使用状態説明図
【図１４】他の実施形態に係る外壁吊具
【図１５】従来技術を示す図
【符号の説明】
【００４３】
１      外壁吊具
２      外壁パネル
３      本体枠部
４      溝部
５      弾性部材
６      当接支持部材
７      補助当接部材
８      係止部
９      係止部材
１１    紐体係止部
１２    規制部材
【図１】
2008184766.tif 000003
【図２】
2008184766.tif 000004
【図３】
2008184766.tif 000005
【図４】
2008184766.tif 000006
【図５】
2008184766.tif 000007
【図６】
2008184766.tif 000008
【図７】
2008184766.tif 000009
【図８】
2008184766.tif 000010
【図９】
2008184766.tif 000011
【図１０】
2008184766.tif 000012
【図１１】
2008184766.tif 000013
【図１２】
2008184766.tif 000014
【図１３】
2008184766.tif 000015
【図１４】
2008184766.tif 000016
【図１５】
2008184766.tif 000017